(57)【要約】【課題】装飾体を変位させる場合の演出効果を高めた演出装置、及び遊技機を提供する。【解決手段】演出装置の動作装置３０は、支持部材６０、移動部材、ローラ９４、およびレール部材１１８を備える。支持部材６０は、移動部材を上下動可能に支持する。移動部材の上端部には、支持機構１５０が設けられる。支持機構１５０は、左右方向に延びる軸線を中心に装飾体５５を揺動可能に支持する。装飾体５５は移動部材と共に上下動する。ローラ９４は、支持機構１５０の延設部１３５の後端部に、回転可能に設けられる。レール部材１１８は、支持部材６０の前面に形成され、上下方向に延びる。移動部材の下方向への移動に伴って、ローラ９４がレール部材１１８の傾斜面１１８Ｂに沿って転動することで、装飾体５５は揺動する。【選択図】図４
2019188247.tif 000002
【特許請求の範囲】
【請求項１】
遊技に関する情報が表示され且つ前方を向く表示面を有する画像表示装置が設けられた演出装置であって、
前後方向と交差する第一所定方向に延びる軸線を中心に装飾体を揺動可能に支持する支持機構が設けられ、前記前後方向と前記第一所定方向の夫々と交差する第二所定方向に、前記装飾体と共に変位する可動体と、
前記可動体を、前記装飾体の少なくとも一部が正面視で前記表示面と重なる位置である第一位置と、正面視で前記表示面と重なる前記装飾体の部位が前記第一位置よりも少ない位置である第二位置との間で変位可能に支持する支持体と、
前記支持体に設けられた支軸によって回転可能に支持された部材であって、前記支軸から離間する方向の端部が前記第二所定方向に変位することで、前記可動体が変位するアーム部材と、
前記第二所定方向のうち第一方向に変位する前記装飾体の推進力を、前記装飾体の揺動力に変換し、前記装飾体の前記第二所定方向に対する角度である所定角度を変化させる角度調整機構と
を備え、
前記角度調整機構は、
前記支持体と前記可動体のいずれか一方に設けられ、前記第一方向に沿って前記前後方向の一方側へ延びる延設部材と、
前記支持体と前記可動体のいずれか他方に設けられ、前記可動体が前記第二所定方向に変位する場合に、前記延設部材に対して摺動する摺動部材と
を備え
前記摺動部材は、前記可動体の変位に伴って、前記延設部材から離間することを特徴とする演出装置。
【請求項２】
前記摺動部材が前記延設部材との摺動に伴って揺動するときの揺動中心は、前記軸線と一致することを特徴とする請求項１に記載の演出装置。
【請求項３】
前記第一所定方向において、前記延設部材と前記摺動部材とが配置される範囲は、前記装飾体が配置される範囲に含まれることを特徴とする請求項１又は２に記載の演出装置。
【請求項４】
前記装飾体、前記可動体、及び前記支持体は、前側から順に配置され、
前記可動体は、前記前後方向と対向する貫通孔を備え、
前記支持機構は、
前記可動体よりも前側で前記装飾体を支持する支持部と、前記貫通孔と前記支持部との間で前記前後方向に延びる部位を含む延伸部とを有する第一支持部材と、
前記第一支持部材を、前記軸線を中心に揺動可能に支持する第二支持部材と
を備え、
前記延設部材と前記摺動部材のうち、前記可動体に設けられた部材である第一部材は、少なくとも一部が前記貫通孔よりも後側に配置されるように、前記延伸部によって支持されることを特徴とする請求項１から３のいずれかに記載の演出装置。
【請求項５】
請求項１から４のいずれかに記載の演出装置を備えたことを特徴とする遊技機。
【発明の詳細な説明】
【技術分野】
【０００１】
本発明は、演出装置及び遊技機に関する。
【背景技術】
【０００２】
従来、装飾体を上下動させる演出装置が知られている。例えば、特許文献１に開示の遊技機が備える演出装置は、アーム部、モータ、及び可動装飾体を備える。アーム部は、モータの駆動に伴い、支軸を中心に揺動する。可動装飾体は、アーム部のうち支軸から離間する方向の一端部と連結する。可動装飾体は、アーム部の揺動に伴い、上下動する。
【先行技術文献】
【特許文献】
【０００３】
【特許文献１】特許第４６２４３８８号公報
【発明の概要】
【発明が解決しようとする課題】
【０００４】
しかしながら、上記演出装置では、上下動する可動装飾体の姿勢が一定である。従って、可動装飾体を上下動させる場合の演出効果が低くなる可能性がある。
【０００５】
本発明の目的は、装飾体を変位させる場合の演出効果を高めた演出装置、及び遊技機を提供することである。
【課題を解決するための手段】
【０００６】
本発明の第一態様に係る演出装置は、遊技に関する情報が表示され且つ前方を向く表示面を有する画像表示装置が設けられた演出装置であって、前後方向と交差する第一所定方向に延びる軸線を中心に装飾体を揺動可能に支持する支持機構が設けられ、前記前後方向と前記第一所定方向の夫々と交差する第二所定方向に、前記装飾体と共に変位する可動体と、前記可動体を、前記装飾体の少なくとも一部が正面視で前記表示面と重なる位置である第一位置と、正面視で前記表示面と重なる前記装飾体の部位が前記第一位置よりも少ない位置である第二位置との間で変位可能に支持する支持体と、前記支持体に設けられた支軸によって回転可能に支持された部材であって、前記支軸から離間する方向の端部が前記第二所定方向に変位することで、前記可動体が変位するアーム部材と、前記第二所定方向のうち第一方向に変位する前記装飾体の推進力を、前記装飾体の揺動力に変換し、前記装飾体の前記第二所定方向に対する角度である所定角度を変化させる角度調整機構とを備え、前記角度調整機構は、前記支持体と前記可動体のいずれか一方に設けられ、前記第一方向に沿って前記前後方向の一方側へ延びる延設部材と、前記支持体と前記可動体のいずれか他方に設けられ、前記可動体が前記第二所定方向に変位する場合に、前記延設部材に対して摺動する摺動部材とを備え前記摺動部材は、前記可動体の変位に伴って、前記延設部材から離間することを特徴とする
【０００７】
上記構成によれば、装飾体は、可動体と共に第一方向に変位する場合に、角度調整機構によって、所定角度を変化させる。装飾体の動きは遊技者にとって変則的に見える。よって、演出装置は、装飾体を変位させる場合の演出効果を高めることができる。また、角度調整機構は、摺動部材を延設部材に対して摺動させることによって、所定角度を変化させる。よって、角度調整機構は簡易化される。
【０００８】
前記演出装置において、前記摺動部材が前記延設部材との摺動に伴って揺動するときの揺動中心は、前記軸線と一致してもよい。
【０００９】
前記演出装置において、前記第一所定方向において、前記延設部材と前記摺動部材とが配置される範囲は、前記装飾体が配置される範囲に含まれてもよい。
前記演出装置において、前記装飾体、前記可動体、及び前記支持体は、前側から順に配置され、前記可動体は、前記前後方向と対向する貫通孔を備え、前記支持機構は、前記可動体よりも前側で前記装飾体を支持する支持部と、前記貫通孔と前記支持部との間で前記前後方向に延びる部位を含む延伸部とを有する第一支持部材と、前記第一支持部材を、前記軸線を中心に揺動可能に支持する第二支持部材とを備え、前記延設部材と前記摺動部材のうち、前記可動体に設けられた部材である第一部材は、少なくとも一部が前記貫通孔よりも後側に配置されるように、前記延伸部によって支持されてもよい。
【００１０】
本発明の第二態様に係る遊技機は、上記演出装置を備えたことを特徴とする。この場合、遊技機は上記作用効果を奏することができる。
【図面の簡単な説明】
【００１１】
【図１】パチンコ機１の正面図である。
【図２】遊技盤２の正面図である。
【図３】装飾体５５が下端位置にある動作装置３０の斜視図である。
【図４】装飾体５５が下端位置にある動作装置３０の別の斜視図である。
【図５】装飾体５５の後側からの斜視図である。
【図６】装飾体５５の後側からの拡大斜視図である。
【図７】装飾体５５が下端位置にある動作装置３０の右側面図である。
【図８】装飾体５５が下端位置と上端位置の間にある動作装置３０の右側面図である。
【図９】装飾体５５が上端位置にある動作装置３０の斜視図である。
【図１０】装飾体５５が上端位置にある動作装置３０の右側面図である。
【発明を実施するための形態】
【００１２】
本発明の一実施形態であるパチンコ機１について、図面を参照して説明する。以下の説明では、図１の手前側、奥側、上側、下側、左側、および右側を、それぞれ、パチンコ機１の前側（正面側）、後側（背面側）、上側、下側、左側、および右側とする。
【００１３】
図１および図２を参照し、パチンコ機１の概略構成を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、発射機（図示外）に遊技球（図示外）を供給し、且つ賞球を受ける。上皿５の上部中央には、遊技者によって操作される操作ボタン９が設けられている。上皿５の直下には、賞球を受ける下皿６が設けられている。下皿６の右横には、遊技球の発射を調整する発射ハンドル７が設けられている。前面枠１３の上部の左右の角には、スピーカ４８がそれぞれ設けられている。
【００１４】
遊技盤２の前面には、ガイドレール３で囲まれた略円形の遊技領域４が形成されている。発射機によって発射された遊技球は、遊技領域４内を流下する。遊技領域４の略中央に、演出装置５０が配設されている。演出装置５０の下側に、第一始動口１５が設けられている。第一始動口１５の直下に、開閉部材を備えた第二始動口１６が設けられている。第二始動口１６は、開閉部材が開放された場合にのみ遊技球が入賞可能である。第二始動口１６の下側に、遊技領域４の中央下端部まで流下した遊技球を回収するアウト口１７が設けられる。
【００１５】
演出装置５０は、装飾枠１４、画像表示装置２８、及び動作装置３０（図３参照）を備える。装飾枠１４は、遊技盤２の略中央部に設けられる開口部に嵌め込まれた枠体である。画像表示装置２８は、装飾枠１４の後側に設けられている。画像表示装置２８は、ＬＣＤ（液晶ディスプレイ）等で構成される略矩形状の表示面２７を有する。表示面２７は、正面視で装飾枠１４の内側に配置され、前方に向けて画像を表示可能である。表示面２７には、特別図柄に基づく当たり判定（大当たり判定）の結果を遊技者に報知するための複数のデモ図柄が表示される。複数のデモ図柄は、遊技球が第一始動口１５および第二始動口１６のいずれかに入賞すると変動を開始し、その変動後に大当たり判定の結果に応じた組み合わせで確定表示される。
【００１６】
動作装置３０（図３参照）は、装飾枠１４の後方且つ画像表示装置２８の前方に設けられる。動作装置３０は、画像表示装置２８およびスピーカ４８等と連動して、装飾体５５を上下動させる装置である。これにより、演出装置５０は、報知演出等の様々な演出を実行する。動作装置３０の詳細は後述する。尚、図２では、可動範囲の下端位置にある装飾体５５を実線によって図示し、可動範囲の上端位置にある装飾体５５を仮想線によって図示する。以下、装飾体５５の可動範囲の下端位置を単に「下端位置」といい、装飾体５５の可動範囲の上端位置を単に「上端位置」という。
【００１７】
遊技盤２の後面側には、主基板（図示外）、サブ基板（図示外）等が設けられている。主基板はパチンコ機１の主制御を司る。主基板には、各種の演算処理を実行するＣＰＵ、データを一時的に記憶するＲＡＭ、および制御プログラム等を記憶したＲＯＭが設けられている。サブ基板は、主基板と電気的に接続されている。サブ基板は、主基板と同様に、ＣＰＵ、ＲＡＭ、およびＲＯＭが設けられている。サブ基板は、主基板から送信されるコマンドに従って、演出装置５０等を動作させ、演出に関する総合的な制御を実行する。
【００１８】
図３〜図６を参照し、動作装置３０について説明する。尚、図４では、後述の移動部材１１０の図示を省略している。動作装置３０は、装飾体５５を上下方向に移動させながら、装飾体５５の上下方向に対する角度である所定角度（例えば、図７で示す角度θ）を変化させる装置である（図７、図１０参照）。本例の装飾体５５は、略前後方向に延びる軸線に沿って延びる円柱体である。図３に示すように、装飾体５５は、背面視で略円形状の板状体であるベース５９と、ベース５９の前部を覆う装飾部５６を備える。装飾部５６は、第一装飾部材５１および第二装飾部材５２を備える。第一装飾部材５１は、正面視で円形状の部材である。第一装飾部材５１の前面には、矩形状の凹部である矩形凹部５１Ｂが形成されている。矩形凹部５１Ｂは、第一装飾部材５１の前面の周端部５１Ａを、第一装飾部材５１の中心部を通過しつつ直線状に掛け渡すように形成されている。第二装飾部材５２は、「１８」をかたどった部材であり、矩形凹部５１Ｂの前方に配置されている。第二装飾部材５２は、正面視で周端部５１Ａの内側に配置されている。遊技者は、装飾部５６の全体を前側から視認することによって、所謂、「１８禁」を示すマークを想起できる。
【００１９】
図３に示すように、動作装置３０は支持部材６０を備える。支持部材６０は、左右方向に長い正面視で略矩形状の板状部材であり、装飾枠１４（図２参照）の下部の後側で固定されている。後述するように、支持部材６０の前面右部には、装飾体５５が上下動可能に支持される。
【００２０】
支持部材６０の左端部には、支軸７２が設けられている。支軸７２は、支持部材６０から前方へ延びる。支軸７２には、アーム部材７０が回転可能に支持されている。アーム部材７０は、前後方向と直交する方向に沿って、支軸７２から右側へ延びる。アーム部材７０は、支持部材６０の左下部に設けられたモータ６２の回転駆動に伴って、支軸７２を中心に回転する。
【００２１】
アーム部材７０のうち、支軸７２から離間する方向の端部である右端部７５には、開口部７６が設けられている。開口部７６は、アーム部材７０の長手方向に長い長穴であり、右端部７５を前後方向に貫通する。開口部７６には、回転部材８１が取り付けられている。回転部材８１は、正面視で略円形状の部材である。回転部材８１は、右端部７５に対して開口部７６の長手方向に相対移動可能であると共に、前後方向に延びる軸線（図示外）を中心に回転可能である。回転部材８１の外周面には、周方向に亘って延びる歯部である噛合部８１Ａが形成されている。
【００２２】
支持部材６０の前面のうち、アーム部材７０の右端部７５の後方となる部位には、固定部材９０が固定されている。固定部材９０は歯部９２を備える。歯部９２は、支持部材６０から前方へ立設すると共に、上下方向に直線状に延びる。歯部９２は、回転部材８１の噛合部８１Ａと左側から噛み合う。従って、アーム部材７０が支軸７２を中心に回転する場合に、回転部材８１は、歯部９２に沿って上方に移動しながら回転できる。以下、回転部材８１の可動範囲の下端位置を単に「下端位置」（図３、図４参照）といい、回転部材８１の可動範囲の上端位置を単に「上端位置」（図９参照）という。アーム部材７０が、支軸７２から右斜め下方に延びる回転位置である第一回転位置にある場合（図３参照）、回転部材８１は下端位置にある。
【００２３】
回転部材８１の右方には、正面視で略矩形状の移動部材１１０が設けられている。移動部材１１０は、スライドレール１０５を介して、支持部材６０の前面の右部に取り付けられている。より詳細には、スライドレール１０５の固定レール１０５Ａが、支持部材６０の前面に固定されており、スライドレール１０５の可動レール１０５Ｂ（図７参照）が移動部材１１０の後面に固定されている。可動レール１０５Ｂは、上下方向に沿って複数並ぶ転動部材（本例では球状部材）を介して、固定レール１０５Ａに取り付けられている。従って、移動部材１１０は、支持部材６０の前方で、上下方向に直線移動可能に支持される。以下、移動部材１１０の可動範囲の下端位置を単に「下端位置」（図３参照）といい、移動部材１１０の可動範囲の上端位置を単に「上端位置」（図９、図１０参照）という。移動部材１１０の上端部には、装飾体５５が設けられている。つまり、装飾体５５は、移動部材１１０と共に上下動可能である。
【００２４】
移動部材１１０の左端部には、歯部１１２が形成されている。歯部１１２は、上下方向に直線状に延び、回転部材８１の噛合部８１Ａと右側から噛み合う。歯部１１２が噛合部８１Ａと噛み合うので、回転部材８１の回転及び上下動に伴って、移動部材１１０は上下動できる。回転部材８１が下端位置にある場合、移動部材１１０および装飾体５５は、いずれも、下端位置にある。この場合、装飾体５５のうち上端部が、表示面２７の下端部と正面視で重なる（図２参照）。
【００２５】
図３および図４に示すように、移動部材１１０の下端部の右部には、爪部１１３（図３参照）が設けられている。支持部材６０の上端部のうち、爪部１１３の上方となる部位には、爪部６３（図４参照）が設けられている。爪部６３，１１３には、弾性部材１０１（図３参照）が取り付けられている。本例の弾性部材１０１は、上下方向に沿って弾性変形可能な引張バネである。弾性部材１０１は、移動部材１１０を上方に付勢している。
【００２６】
移動部材１１０の右上部には、貫通孔１１４（図３参照）が形成されている。貫通孔１１４は、正面視で略矩形状であり、移動部材１１０を前後方向に貫通する。貫通孔１１４の後方には、レール部材１１８（図４参照）が設けられている。本例のレール部材１１８は、支持部材６０の前面と一体的に形成されている。レール部材１１８は、支持部材６０の上下方向略中央部から、支持部材６０の上端まで上下方向に沿って延びる。レール部材１１８の前面には、上下方向に延びる平面１１８Ａ（図４参照）と、平面１１８Ａの上端から上斜め後方へ延びる傾斜面１１８Ｂ（図４参照）とが形成されている。
【００２７】
移動部材１１０の上部には、支持機構１５０が設けられている（図７参照）。支持機構１５０は、装飾体５５を、左右方向に延びる後述の軸線Ａ（図５参照）を中心に揺動可能に支持する機構である。図５および図６に示すように、支持機構１５０は、取付部材１２０、軸部材１２８、連結部材１３０、および付勢部材１２７（図５参照）を備える。
【００２８】
取付部材１２０は、移動部材１１０の前面の上部に取り付けられた部材である。取付部材１２０は、壁部１２２及び二つの外側壁部１２４を備える。壁部１２２は、背面視で略矩形状であり、二つの締結穴１２２Ａが設けられている。二つの締結穴１２２Ａは、夫々、移動部材１１０に設けられた二つの挿通孔（図示略）と対向する。二つのネジ（図示外）が夫々、移動部材１１０の挿通孔に後方から挿通されて、締結穴１２２Ａに締め付けられる。これにより、取付部材１２０は、移動部材１１０の前面の上部に取り付けられる。二つの外側壁部１２４は、夫々、壁部１２２の左右方向の両端部から前方へ立設する壁部である。二つの外側壁部１２４は、左右方向に間隔を空けて対向する。二つの外側壁部１２４には、夫々、支持孔が設けられている。
【００２９】
軸部材１２８は、左右方向に延びる。軸部材１２８の左右方向の両端部は、夫々、二つの外側壁部１２４の支持孔に嵌合される。これにより、軸部材１２８は二つの外側壁部１２４に固定されている。
【００３０】
連結部材１３０は、内側壁部１３１，１３３、固定壁部１３４（図５参照）、および延設壁部１３５を備える。内側壁部１３１，１３３は、二つの外側壁部１２４の間に設けられている。内側壁部１３１，１３３は、左右方向に沿って左側から順に間隔を空けて配置される。内側壁部１３１，１３３の後部は、夫々、取付部材１２０の壁部１２２に対して前方から対向する。内側壁部１３１、１３３の前後方向の略中央部には、夫々、軸部材１２８が挿通される円形孔（図示外）が設けられている。円形孔の内径は、軸部材１２８の外径よりも僅かに大きい。これにより、連結部材１３０は、軸部材１２８によって揺動可能に支持されている。連結部材１３０は、軸部材１２８の軸線である軸線Ａを中心に、揺動可能である。
【００３１】
固定壁部１３４は、内側壁部１３１，１３３の夫々の前端部を互いに接続する、背面視で略矩形状の壁部である。固定壁部１３４の上端部は軸部材１２８よりも上側に位置し、固定壁部１３４の下端部は軸部材１２８よりも下側に位置する。固定壁部１３４には、左右方向に並ぶ二つの挿通孔（図示外）が設けられている。固定壁部１３４の二つの挿通孔は、夫々、装飾体５５のベース５９の下部に設けられた二つの締結穴（図示略）と対向する。二つの螺子（図示外）が夫々、固定壁部１３４の挿通孔に後方から挿通されて、ベース５９の締結穴に締め付けられる。これにより、装飾体５５は、軸部材１２８よりも前側で固定壁部１３４に固定されると共に、連結部材１３０と一体的に軸線Ａを中心に揺動可能である。
【００３２】
延設壁部１３５は、内側壁部１３３の下端部から貫通孔１１４（図３参照）の内側まで前後方向に延びる、側面視略矩形の壁部である。つまり、延設壁部１３５は、貫通孔１１４と固定壁部１３４との間で前後方向に延びる部位を含む。延設壁部１３５は後端部には、円筒部１３５Ａ（図６参照）が形成されている。円筒部１３５Ａは、貫通孔１１４よりも後方で、延設壁部１３５から左方に延びる。円筒部１３５Ａは、軸部材１２８よりも後斜め下方に位置する。
【００３３】
円筒部１３５Ａには、貫通孔１１４から後方に露出するローラ９４が設けられている。ローラ９４は、中央部に孔（図示外）が形成された円板状の回転体（転動部材）である。ローラ９４の孔に円筒部１３５Ａが挿通されることで、ローラ９４は円筒部１３５Ａによって回転可能に支持される。円筒部１３５Ａの筒孔（図示外）には、締結部材９７が締結されている。本例の締結部材９７は、皿ネジである。ローラ９４は、締結部材９７の左端部に形成された頭部と延設壁部１３５の後端部との間に配置されることで、左右方向の移動が規制される。従って、ローラ９４は、簡易な構成で、延設壁部１３５に組み付けることができる。
【００３４】
付勢部材１２７（図５参照）は、本例ではコイルバネである。付勢部材１２７は、固定壁部１３４の上端部と、壁部１２２の上端部との間で、圧縮された状態で配置される。付勢部材１２７は、軸部材１２８よりも上側に位置する。つまり、付勢部材１２７は、上下方向において、軸部材１２８に対してローラ９４とは反対側に位置する。付勢部材１２７は、固定壁部１３４を前方へ付勢する。これにより、装飾体５５は、軸線Ａを中心に右側面視で反時計回りに付勢されている。
【００３５】
装飾体５５の軸線Ａを中心とした揺動範囲を説明する。装飾体５５は、第一揺動位置（図４、図７等参照）と第二揺動位置（図９、図１０参照）の間を揺動可能である。第一揺動位置は、ローラ９４がレール部材１１８の平面１１８Ａと当接する装飾体５５の揺動位置である。つまり、付勢部材１２７によって付勢される装飾体５５は、ローラ９４が平面１１８Ａと当接することによって、右側面視で反時計回りへの揺動を規制される。装飾体５５が第一揺動位置にある場合、内側壁部１３１、１３３（図６参照）の下側後部は、壁部１２２（図６参照）に対して前方に離間する。本例では、装飾体５５が第一揺動位置にある場合、装飾体５５の下部は、上部よりも前方に位置する。つまり、装飾体５５が第一揺動位置にある場合、第一装飾部材５１と第二装飾部材５２の夫々の前面は、上斜め前方を向く。
【００３６】
第二揺動位置は、内側壁部１３１，１３３の下側後部が壁部１２２と当接する装飾体５５の揺動位置である。つまり、付勢部材１２７によって付勢される装飾体５５は、内側壁部１３１、１３３が壁部１２２と当接することによって、右側面視で反時計回りへの揺動を規制される。本例では、装飾体５５が第二揺動位置にある場合、装飾体５５の下部と上部は、いずれも、同じ前後方向位置にある。つまり、装飾体５５が第二揺動位置にある場合、第一装飾部材５１と第二装飾部材５２の夫々の前面は、前方を向く。
【００３７】
尚、装飾体５５が第一揺動位置にある場合、ローラ９４の後端は、傾斜面１１８Ｂの下端と前後方向において略同じ位置にある（図７参照）。装飾体５５が第二揺動位置にある場合、ローラ９４の後端は、傾斜面１１８Ｂの上端と前後方向において略同じ位置にある（図１０参照）。従って、装飾体５５の上下動に伴いローラ９４が傾斜面１１８Ｂに沿って転動することで、装飾体５５は、第一揺動位置と第二揺動位置との間を揺動する。
【００３８】
図３、図４、図７〜図１０を参照し、装飾体５５を下端位置から上端位置まで移動させる動作装置３０の動作を説明する。尚、図７、図８、および図１０では、移動部材１１０を仮想線によって模式的に図示する。
【００３９】
モータ６２が回転駆動すると、第一位置にあったアーム部材７０は、支軸７２を中心に正面視で反時計回り（図３の矢印Ｐ方向）に回転する。アーム部材７０の回転に伴って、開口部７６の内壁面は、回転部材８１を上方に付勢すると共に、回転部材８１に対してアーム部材７０の長手方向に相対移動する。これにより、回転部材８１は、前後方向に延びる軸線（図示外）を中心に正面視で反時計回り（図３の矢印Ｑ方向）に回転しながら、上方に直線移動する。
【００４０】
回転部材８１が直線移動しながら回転移動することによって、移動部材１１０および装飾体５５は、下端位置から上方に移動する。この場合、弾性部材１０１（図３参照）が移動部材１１０を上方に付勢しているので、回転駆動するモータ６２に加わる負荷は、低減する。
【００４１】
図７および図８に示すように、移動部材１１０の移動に伴い、ローラ９４は、移動部材１１０よりも後方となる位置にて、レール部材１１８に対して転動しながら上方へ移動する。ローラ９４が平面１１８Ａ（図４参照）に対して転動する間、装飾体５５は、第一揺動位置にある状態を維持しつつ上方に移動する。この場合、付勢部材１２７が装飾体５５を付勢しているので、ローラ９４は平面１１８Ａに安定して接触できる。
【００４２】
ローラ９４は、平面１１８Ａに対して転動した後、傾斜面１１８Ｂに対して転動する（図示外）。装飾体５５が上方に移動するにしたがって、ローラ９４と傾斜面１１８Ｂとの接触位置は、後方に変位する。つまり、装飾体５５が上方に移動するにしたがって、装飾体５５は軸線Ａを中心に右側面視で反時計回りに揺動する。装飾体５５の所定角度は徐々に変化する。この場合、付勢部材１２７が装飾体５５を付勢しているので、ローラ９４は傾斜面１１８Ｂに安定して接触できる。
【００４３】
ローラ９４が傾斜面１１８Ｂの上端まで転動し、さらに、ローラ９４がレール部材１１８に対して上方に離間した場合、装飾体５５は第二揺動位置まで揺動する（図９、図１０参照）。
【００４４】
図９及び図１０に示すように、ローラ９４が傾斜面１１８Ｂに対して上方に離間した後も、アーム部材７０が回転することによって、移動部材１１０および装飾体５５は上方に移動する。装飾体５５は、第二揺動位置にある状態を維持しつつ上方に移動する。アーム部材７０が、軸線Ａから右上方に延びる回転位置である第二回転位置（図９参照）まで回転すると、モータ６２は回転駆動を停止する。回転部材８１および移動部材１１０は、上端位置まで移動し停止する。同様に装飾体５５は、第二揺動位置にある状態で上端位置まで移動し停止する。
【００４５】
本例では、装飾体５５が第一揺動位置から第二揺動位置まで揺動することで、装飾体５５は軸線Ａを中心に約１６°揺動し、装飾体５５の上下方向の長さは、長くなる。図７で示す寸法Ｌ１は、第一揺動位置にある装飾体５５の上下方向の長さを示し、図１０で示す寸法Ｌ２は、第二揺動位置にある装飾体５５の上下方向の長さを示す。つまり、寸法Ｌ２は寸法Ｌ１よりも長い。
【００４６】
移動部材１１０の移動量について説明する。本例では、アーム部材７０の回転に伴って、回転部材８１は上方に移動しながら更に回転する。よって、移動部材１１０の移動量は、回転部材８１の回転移動量と、回転部材８１の上方への移動量とを合計した移動量になる。回転部材８１の回転移動量と、回転部材８１の上方への移動量は同じである。故に、移動部材１１０と装飾体５５の夫々の移動量は、回転部材８１の上方への移動量の２倍となる。
【００４７】
本例では、装飾体５５が下端位置にある場合、装飾体５５のうち上端部が表示面２７の下端部と正面視で重なる。一方、装飾体５５が上端位置にある場合、装飾体５５の略全体が表示面２７の下半分と正面視で重なる。つまり、装飾体５５が下端位置と上端位置との間を移動することで、装飾体５５と表示面２７とが正面で重なる部位の面積は、大きく変わる。従って、表示面２７の外観は大きく変化する。
【００４８】
図７〜図１０を参照し、動作装置３０が装飾体５５を上端位置から下端位置まで移動させる動作を説明する。モータ６２が回転駆動することによって、第二回転位置にあったアーム部材７０は、支軸７２を中心に正面視で時計回り（図９の矢印Ｓ方向）に回転する。回転部材８１は、正面視で時計回り（図９の矢印Ｔ方向）に回転しながら、上端位置から下方に移動する。移動部材１１０および装飾体５５はいずれも上端位置から下方に、弾性部材１０１の付勢力に抗って移動する。この場合、移動部材１１０と装飾体５５の自重が、移動部材１１０と装飾体５５の下方への移動を補助するので、回転駆動するモータ６２に加わる負荷は、低減する。尚、ローラ９４が傾斜面１１８Ｂの上端まで下方に移動する間、装飾体５５は第二揺動位置にある状態を維持しつつ下方に移動する。
【００４９】
ローラ９４は、傾斜面１１８Ｂの上端と接触し、さらに傾斜面１１８Ｂに沿って下方に転動する。傾斜面１１８Ｂが下方向に沿って前側に傾斜して延びるので、ローラ９４は、前方へ向かう反力を、傾斜面１１８Ｂから受ける。装飾体５５は、軸線Ａを中心に右側面視で反時計回りに揺動する。言い換えると、ローラ９４が傾斜面１１８Ｂに沿って下方に転動することで、移動部材１１０および装飾体５５の下方への推進力は、装飾体５５の第一揺動位置へと向かう揺動力に変換される。従って、装飾体５５は、付勢部材１２７の付勢力に抗って、第一揺動位置に向けて揺動する。ローラ９４が平面１１８Ａの上端まで転動すると、装飾体５５は第一揺動位置まで揺動する。
【００５０】
ローラ９４が平面１１８Ａの上端から下方に転動する場合、装飾体５５は第一揺動位置に位置する状態を維持して下方に移動する。アーム部材７０が第一回転位置（図３参照）まで回転すると、回転部材８１、移動部材１１０、および装飾体５５は、いずれも下端位置まで移動し、モータ６２は回転駆動を停止する。
【００５１】
以上説明したように、演出装置５０の動作装置３０は、支持機構１５０、ローラ９４、およびレール部材１１８を備える。装飾体５５は、支持機構１５０によって軸線Ａを中心に揺動可能に支持される。支持機構１５０が装飾体５５を支持することで、装飾体５５は移動部材１１０と共に上下動可能である。装飾体５５が上端位置から下方に移動する場合、ローラ９４は傾斜面１１８Ｂの上端から下端まで転動する。下方に移動するローラ９４は、前方を向く反力を、傾斜面１１８Ｂから受ける。これにより、装飾体５５は、軸線Ａを中心に右側面視で時計回りに回転する。つまり、ローラ９４及びレール部材１１８は、上下方向のうち下方向に移動する装飾体５５の推進力を、装飾体５５の軸線Ａを中心とした揺動力に変換し、装飾体５５の所定角度を変化させる角度調整機構として機能する。装飾体５５が下方に移動しながら所定角度を変えるので、装飾体５５の動きは遊技者にとって変則的に見える。よって、演出装置５０は、装飾体５５を下方に移動させる場合の演出効果を高めることができる。
【００５２】
また、本例の演出装置５０は、装飾体５５を上端位置と下端位置の間を移動させることによって、装飾体５５の所定角度を変えると共に、装飾体５５と表示面２７とが正面視で重なる領域の面積を大きく変化させる。従って、演出装置５０は、装飾体５５を上下動させることによって、表示面２７の外観は大きく変化する。よって、演出装置５０は、装飾体５５を移動させる演出を実行することで、遊技者の興趣を強く惹き付けることができる。
【００５３】
装飾体５５が下端位置にある場合、上端位置にある場合に比べ、装飾体５５の上下方向の長さが短くなる。装飾体５５が上端位置から下端位置まで移動しても、装飾体５５の上下方向の長さが変わらない場合と比べ、装飾体５５の見栄えの変化が大きくなる。これにより、表示面２７の見栄えの変化が大きくなる。よって、演出装置５０は、装飾体５５を上下動させる場合の演出効果を更に高めることができる。
【００５４】
装飾体５５が、下端位置に位置することで表示面２７の中央部から離間する場合、装飾体５５の上下方向の長さは、短くなる。従って、装飾体５５が下端位置にある場合においては、装飾体５５の存在感を抑えることできる。例えば、装飾体５５が下端位置である状態で、演出装置５０が表示面２７を用いた各種の報知演出を実行する場合、遊技者は表示面２７を視認し易くなる。
【００５５】
本例では、装飾体５５が下端位置から上端位置まで移動すると、装飾体５５の上下方向の長さは長くなるので、装飾体５５の存在感は大きくなる。本例では、装飾体５５の上端位置は、装飾体５５が表示面２７の中央部と近接する位置である。例えば、大当たり判定の報知演出が実行される場合において、演出装置５０が、表示面２７で報知演出を実行しながら装飾体５５を上端位置まで移動させると、表示面２７の外観は大きく変化する。よって、演出装置５０は、遊技者の興趣を強く惹き付けることができる。
【００５６】
上端位置にある装飾体５５は、表示面２７の中央部付近に位置する。この場合、装飾体５５が第二揺動位置にあるので、装飾体５５の前面は前方を向く。つまり、装飾体５５が遊技者の目線と略同じ高さとなる上端位置にある場合に、装飾体５５の前面が前方を向く。従って、上端位置にある装飾体５５の前面は、遊技者の顔を向く。一方、下端位置にある装飾体５５は、表示面２７の下端部付近に位置する。この場合、装飾体５５が第一揺動位置にあるので、装飾体５５の前面は上斜め前方を向く。つまり、装飾体５５が、遊技者の目線よりも低い下端位置にある場合であっても、装飾体５５の前面は、遊技者の顔を向く。従って、装飾体５５は上端位置および下端位置のいずれの位置にある場合であっても、装飾体５５の前面は遊技者の顔を向く。動作装置３０は、装飾体５５を上下動させる場合に、装飾体５５の前面が遊技者の顔を向くように所定角度を制御する。よって、演出装置５０は、装飾体５５の上下方向に位置に関わらず、遊技者にとっての装飾体５５の存在感を大きくできる。故に演出装置５０は、遊技者の興趣を強く惹き付けることができる。
【００５７】
また、上端位置にある装飾体５５の前面は、表示面２７の中央付近に位置するので、遊技者の顔と前方から略対向する。よって、演出装置５０は、装飾体５５を上端位置まで移動させることで、装飾体５５の存在感を更に大きくし、遊技者の興趣を更に強く惹き付けることができる。
【００５８】
装飾体５５が上端位置から下端位置まで移動する場合、ローラ９４がレール部材１１８に対して転動することによって、装飾体５５の所定角度は変化する。装飾体５５の所定角度を変化させる機構が、支持機構１５０、ローラ９４、およびレール部材１１８によって実現される。よって、演出装置５０は、装飾体５５の所定角度を変化させる機構を簡易化できる。
【００５９】
下端位置にある装飾体５５は、第一揺動位置にある。この場合、装飾体５５のうち、表示面２７から離間する方向の部位である下部は、表示面２７に近接する部位である上部よりも前方に位置する。そして、装飾体５５が下端位置にある場合、装飾体５５の上端部は、表示面２７の下端部と正面視で重なる。従って、演出装置５０は、装飾体５５を下端位置に位置させることで、表示面２７に前後方向の立体感を生じさせることができる。故に、演出装置５０は、表示面２７を用いた演出の演出効果を更に高めることができる。
【００６０】
レール部材１１８は、傾斜面１１８Ｂを含む。傾斜面１１８Ｂは、下方向に沿って前側に直線状に延びる。傾斜面１１８Ｂが直線状に延びることで、ローラ９４は傾斜面１１８Ｂに対して転動し易い。よって、演出装置５０は、装飾体５５の揺動位置を安定して変化させることができる。
【００６１】
動作装置３０は、レール部材１１８と摺動する摺動部材として、ローラ９４を備える。
ローラ９４は、延設壁部１３５の円筒部１３５Ａによって回転可能に支持される。従って、装飾体５５が上端位置から下方に移動する場合、ローラ９４は、傾斜面１１８Ｂおよび平面１１８Ａに対して円滑に転動できる。よって、演出装置５０は、装飾体５５の揺動位置を安定して変化させることができる。
【００６２】
ローラ９４を支持する延設壁部１３５は、内側壁部１３３から貫通孔１１４の内側まで後方に延びる。ローラ９４は、延設壁部１３５によって、貫通孔１１４から後方に露出する位置にて回転可能に支持される。延設壁部１３５は、ローラ９４を支持するために、上下方向および左右方向に折れ曲がった形状をなす必要がない。よって、延設壁部１３５の上下方向および左右方向の長さは、短くなる。故に、演出装置５０は小型化できる。
【００６３】
本例では、レール部材１１８とローラ９４のうち、ローラ９４が支持機構１５０（即ち移動部材１１０）に設けられる。レール部材１１８が支持機構１５０によって支持される場合と比べ、上下方向に移動する装飾体５５の推進力は、ローラ９４の円筒部１３５Ａを中心とした回転力に変換され易い。よって、演出装置５０は、装飾体５５を上端位置から下方に移動させる場合、装飾体５５を安定して揺動させることができる。故に、演出装置５０は、装飾体５５の所定角度を安定して変化させることができる。
【００６４】
動作装置３０は付勢部材１２７を備える。付勢部材１２７は、装飾体５５のうち、軸線Ａよりも上側にある部位を、軸線Ａを中心に右側面視で反時計回りに付勢する。言い換えると、付勢部材１２７は、装飾体５５が第二揺動位置から第一揺動位置に向けて揺動する方向とは反対方向へ、装飾体５５を付勢する。これにより、装飾体５５が下方向および上方向のいずれの方向に移動する場合であっても、ローラ９４は、平面１１８Ａと傾斜面１１８Ｂとに安定して接触できる。故に、演出装置５０は、装飾体５５を上端位置と下端位置の間で移動させる場合、装飾体５５の所定角度を安定して変化させることができる。
【００６５】
レール部材１１８は、傾斜面１１８Ｂの下側で上下方向に延びる平面１１８Ａを含む。
装飾体５５が下端位置から上方に移動する場合、ローラ９４が平面１１８Ａに対して転動する間、装飾体５５は第一揺動位置にある状態を維持する。即ち、下端位置から上方に移動する装飾体５５は、移動を開始した直後に、第一揺動位置から第二揺動位置に向けて揺動することはない。従って、装飾体５５の上方への移動に伴う、装飾体５５の所定角度の変化は、変則的になる。故に、演出装置５０は、装飾体５５を上方に移動させる場合の演出効果を高めることができる。
【００６６】
傾斜面１１８Ｂは、上下動するローラ９４の可動範囲の上端よりも下側にある。従って、装飾体５５が上端位置から下方への移動を開始した場合、ローラ９４が傾斜面１１８Ｂと接触するまでの間、装飾体５５は第二揺動位置にある状態を維持する。即ち、上端位置から下方に移動する装飾体５５は、移動を開始した直後に、第二揺動位置から第一揺動位置に向けて揺動することはない。従って、装飾体５５の下方への移動に伴う、装飾体５５の所定角度の変化は、変則的になる。故に、演出装置５０は、装飾体５５を下方に移動させる場合の演出効果を高めることができる。
【００６７】
上記実施形態において、パチンコ機１は本発明の「遊技機」の一例である。移動部材１１０は本発明の「可動体」の一例である。支持部材６０は本発明の「支持体」の一例である。ローラ９４、レール部材１１８、および付勢部材１２７は本発明の「角度調整機構」の一例である。レール部材１１８は本発明の「延設部材」の一例である。ローラ９４は本発明の「摺動部材」の一例である。左右方向は本発明の「第一所定方向」の一例である。上下方向は本発明の「第二所定方向」の一例である。下方向は本発明の「第一方向」の一例である。前側は本発明の「一方側」の一例である。移動部材１１０の上端位置は本発明の「第一位置」の一例である。移動部材１１０の下端位置は本発明の「第二位置」の一例である。
【００６８】
本発明は、上記実施形態に限定されるものではなく、種々の変更が可能であることは勿論である。動作装置３０は、装飾体５５を、上下方向に代えて左右方向に直線移動させる構成であってもよい。また、動作装置３０は、例えば、正面視で上下方向および左右方向に対して傾斜する方向に、装飾体５５を直線移動させる構成であってもよい。
【００６９】
装飾体５５は直線移動することに限定されない。例えば、支持部材６０によって支持される装飾体５５は、モータ６２の回転駆動に伴って、前後方向に延びる軸線を中心に回転移動する構成であってもよい。この場合、支持部材６０に設けられるレール部材１１８は、装飾体５５の回転方向に沿って円弧状に延びる。
【００７０】
装飾体５５の上端位置と下端位置は、いずれも、装飾体５５の略全体が正面視で表示面２７と重なる位置であってもよい。つまり、装飾体５５が上端位置と下端位置のいずれか一方の位置にある場合、いずれか他方の位置にある場合よりも、表示面２７の中央部に接近していればよい。
【００７１】
第一揺動位置と第二揺動位置との間を揺動する装飾体５５の揺動角度は、１６°より大きくてもよく、例えば２０°以上９０°未満であってもよい。この場合、例えば傾斜面１１８Ｂの前端位置が図１０で示す位置よりも前方にあることによって、装飾体５５の揺動角度は大きくなる。第一揺動位置にある装飾体５５の上下方向の長さは、図７で示す寸法Ｌ１よりもさらに小さくなる。
【００７２】
装飾体５５は、軸線が略前後方向に延びる円柱体であるがこれに限定されない。例えば、装飾体５５は、上下方向の両端部が夫々、軸線Ａを中心に円弧状となる形状であってもよい。この場合、装飾体５５が、第一揺動位置および第二揺動位置のいずれの揺動位置にあっても、装飾体５５の上下方向の長さは変わらない。
【００７３】
レール部材１１８は、平面１１８Ａを備える代わりに、上方向に向かう程前方へ延びる第一面と、上方向に向かう程後方に延びる第二面とを、上下方向に沿って交互に複数備えてもよい。この場合、装飾体５５は、上下動する場合、軸線Ａを中心に側面視で時計回りおよび反時計回りに交互に揺動できる。従って、上下動する装飾体５５の動きは、更に変則的になる。
【００７４】
装飾体５５の第一揺動位置と第二揺動位置は、上記実施形態とは反対であってもよい。つまり、装飾体５５が第一揺動位置にある場合、装飾体５５の前面は前方を向き、装飾体５５が第二揺動位置にある場合、装飾体５５の前面は上斜め前方を向いてもよい。装飾体５５が、下端位置から上端位置まで移動する間に、第一揺動位置から第二揺動位置まで揺動することで、装飾体５５の上下方向における長さは、短くなる。従って、演出装置５０は、装飾体５５を上端位置まで移動させることで遊技者の興趣を惹き付けつつも、装飾体５５が表示面２７を正面視で遮るのを抑制できる。これにより、演出装置５０は、装飾体５５と表示面２７とを用いた複合的な演出を実行する場合に、全体としてまとまりのある演出を実行できる。
【００７５】
ローラ９４は円筒部１３５Ａに回転可能に支持される代わりに、回転不能に支持されてもよい。この場合であっても、装飾体５５の上下動に伴い、ローラ９４が傾斜面１１８Ｂに対して摺動することで、装飾体５５の揺動位置は変化する。
【００７６】
延設壁部１３５は、内側壁部１３３の下端部から後方に延びることに限定されない。例えば、延設壁部１３５は、装飾体５５のベース５９のうち、軸部材１２８に対して上方又は下方にある部位から後方に延びてもよい。この場合であっても、延設壁部１３５に設けられたローラ９４が、装飾体５５の上下動に伴って傾斜面１１８Ｂ上を転動することで、装飾体５５の揺動位置は変化する。
【００７７】
ローラ９４は、延設壁部１３５（即ち移動部材１１０）に設けられる代わりに、支持部材６０に設けられてもよい。この場合、レール部材１１８は、移動部材１１０に設けられ、平面１１８Ａおよび傾斜面１１８Ｂは、いずれも、レール部材１１８の後端面に形成される。
【００７８】
また、請求項、明細書および図面に記載される全ての要素（例えば、図柄表示装置、大入賞装置、始動入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「演出装置」は、ハード単体でも、ソフトを含んだものであっても構わない。 
【００７９】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【００８０】
＜備考＞
以下、本開示の作用効果を例示する。下記の構成に注記したカッコ書きは、対応する本開示の構成を例示する。
【００８１】
遊技に関する情報が表示され且つ前方を向く表示面（表示面２７）を有する画像表示装置（画像表示装置２８）が設けられた演出装置（演出装置５０）であって、前後方向と交差する第一所定方向（左右方向）に延びる軸線（軸線Ａ）を中心に装飾体（装飾体５５）を揺動可能に支持する支持機構（支持機構１５０）が設けられ、前記前後方向と前記第一所定方向の夫々と交差する第二所定方向（上下方向）に、前記装飾体と共に変位する可動体（移動部材１１０）と、前記可動体を、前記装飾体の少なくとも一部が正面視で前記表示面と重なる位置である第一位置（上端位置）と、正面視で前記表示面と重なる前記装飾体の部位が前記第一位置よりも少ない位置である第二位置（下端位置）との間で変位可能に支持する支持体（支持部材６０）と、前記第二所定方向のうち第一方向（下方向）に変位する前記装飾体の推進力を、前記装飾体の揺動力に変換し、前記装飾体の前記第二所定方向に対する角度である所定角度（角度θ）を変化させる角度調整機構（ローラ９４、レール部材１１８、付勢部材１２７）とを備えた演出装置。
【００８２】
上記構成によれば、装飾体は、可動体と共に第一方向に変位する場合に、角度調整機構によって、所定角度を変化させる。装飾体の動きは遊技者にとって変則的に見える。よって、演出装置は、装飾体を変位させる場合の演出効果を高めることができる。
【００８３】
前記角度調整機構は、前記可動体が前記第二位置にある場合に、前記第一位置にある場合と比べて、前記装飾体の前記第二所定方向における長さ（寸法Ｌ１，Ｌ２）が短くなるように、前記所定角度を変化させてもよい。この場合、演出装置は、可動体の第一位置から第二位置への変位に伴う、画像表示装置の見栄えの変化が大きくなる。よって、演出装置は、装飾体を変位させる場合の演出効果を更に高めることができる。
【００８４】
前記角度調整機構は、
前記支持体と前記可動体のいずれか一方に設けられ、前記第一方向に沿って前記前後方向の一方側へ延びる延設部材（レール部材１１８）と、前記支持体と前記可動体のいずれか他方に設けられ、前記可動体が前記第一位置と前記第二位置との間を変位する場合に、前記延設部材に対して摺動する摺動部材（ローラ９４）とを備えてもよい。この場合、角度調整機構は、摺動部材を延設部材に対して摺動させることによって、所定角度を変化させる。よって、角度調整機構を簡易化できる。
【００８５】
前記角度調整機構は、前記可動体が前記第二位置にある場合に、前記装飾体のうち前記表示面から離間する部位が、前記表示面に近接する部位よりも前方に位置するように、前記所定角度を変化させてもよい。この場合、演出装置は、可動体を第二位置まで変位させた場合に、表示面に立体感を生じさせることができる。よって、演出装置は、表示面を用いた演出の演出効果を更に高めることができる。
【００８６】
前記延設部材は、前記第一方向に沿って前記一方側へ直線状に延びる部位（傾斜面１１８Ｂ）を含んでもよい。この場合、延設部材が直線状に延びるので、摺動部材は、延設部材に対して円滑に摺動できる。
【００８７】
前記摺動部材は、前記延設部材に対して転動する転動部材（ローラ９４）であってもよい。この場合、摺動部材が転動部材であるので、角度調整機構は所定角度を安定して変化させることができる。
【００８８】
前記装飾体、前記可動体、及び前記支持体は、前側から順に配置され、前記可動体は、前後方向と対向する貫通孔（貫通孔１１４）を備え、前記支持機構は、前記可動体よりも前側で前記装飾体を支持する支持部（固定壁部１３４）と、前記貫通孔と前記固定壁部との間で前後方向に延びる部位を含む延伸部（延設壁部１３５）とを有する第一支持部材（連結部材１３０）と、前記第一支持部材を、前記軸線を中心に揺動可能に支持する第二支持部材（軸部材１２８）とを備え、前記延設部材と前記摺動部材のうち、前記可動体に設けられた部材である第一部材（ローラ９４）は、少なくとも一部が前記貫通孔よりも後側に配置されるように、前記延伸部によって支持されてもよい。この場合、支持機構の第二所定方向の長さが短くなる。よって、演出装置を小型化できる。
【００８９】
前記第一部材は、前記転動部材であってもよい。この場合、前記可動体が第一位置と第二位置の間で変位する場合に、可動体の移動力が転動部材の回転力に変換され易い。よって、角度調整機構は、所定角度を安定して変化させることができる。
【００９０】
前記角度調整機構は、前記可動体が前記第二位置まで変位する場合に前記装飾体が揺動する方向とは反対方向に向けて、前記装飾体を付勢する付勢部材（付勢部材１２７）を備えてもよい。この場合、可動体が第一位置と第二位置の間を変位する場合において、延設部材と摺動部材は互いに接触した状態を維持し易い。よって、角度調整機構は、安定して所定角度を変化させることができる。
【００９１】
上記演出装置を備えた遊技機（パチンコ機１）。この場合、遊技機は、上記演出装置と同様の効果を奏する。
【符号の説明】
【００９２】
１          パチンコ機
２７        表示面
２８        画像表示装置
５０        演出装置
５５        装飾体
６０        支持部材
９４        ローラ
９７        締結部材
１１０      移動部材
１１８      レール部材
１２７      付勢部材
１２８      軸部材
１５０      支持機構
Ａ          軸線
Ｌ１，Ｌ２  寸法
θ          角度
【図１】
2019188247.tif 000003
【図２】
2019188247.tif 000004
【図３】
2019188247.tif 000005
【図４】
2019188247.tif 000006
【図５】
2019188247.tif 000007
【図６】
2019188247.tif 000008
【図７】
2019188247.tif 000009
【図８】
2019188247.tif 000010
【図９】
2019188247.tif 000011
【図１０】
2019188247.tif 000012